(57)【要約】【課題】タスクの実行に伴い１枚の画像が徐々に現れるように表示を行う。【解決手段】本実施形態に係る画像表示方法は、登録端末を用いて、サーバ装置に初期画像及びメイン画像を登録する工程と、前記初期画像を複数の領域に分割し、各分割領域にタスクを割り当てる工程と、ユーザ端末が前記サーバ装置から前記初期画像を取得し、表示部に表示する工程と、前記初期画像の分割領域毎に割り当てられているタスクが実行されたか否かを判定する工程と、前記タスクが実行されたと判定された分割領域を、前記メイン画像の対応部分に置き換えて前記表示部に表示する工程と、を備える。【選択図】図１
2020119318.tif 000002
【特許請求の範囲】
【請求項１】
登録端末を用いて、サーバ装置に初期画像及びメイン画像を登録する工程と、
前記初期画像を複数の領域に分割し、各分割領域にタスクを割り当てる工程と、
ユーザ端末が前記サーバ装置から前記初期画像を取得し、表示部に表示する工程と、
前記初期画像の分割領域毎に割り当てられているタスクが実行されたか否かを判定する工程と、
前記タスクが実行されたと判定された分割領域を、前記メイン画像の対応部分に置き換えて前記表示部に表示する工程と、
を備える画像表示方法。
【請求項２】
前記ユーザ端末は、前記初期画像及び前記メイン画像を前記サーバ装置から取得し、タスク実行前は前記初期画像のみを前記表示部に表示することを特徴とする請求項１に記載の画像表示方法。
【請求項３】
前記サーバ装置は、前記メイン画像のうち、実行されたタスクに対応する部分を前記ユーザ端末へ送信することを特徴とする請求項１に記載の画像表示方法。
【請求項４】
前記タスクは、楽曲の再生、電子書籍の閲覧、所定地点への移動又は動画の再生であることを特徴とする請求項１乃至３のいずれか１項に記載の画像表示方法。
【請求項５】
前記タスクが所定地点への移動である場合、前記ユーザ端末が前記所定地点に表示されている二次元コードを読み取り、所定の情報を取得することで、タスクが実行されたと判定することを特徴とする請求項４に記載の画像表示方法。
【請求項６】
各分割領域に割り当てられているタスクを、それぞれ異なるユーザ端末が実行することを特徴とする請求項１乃至５のいずれか１項に記載の画像表示方法。
【請求項７】
登録端末から初期画像及びメイン画像を受信する画像受信部と、
前記登録端末又はユーザ端末から通知されたタスクの情報を受信し、前記タスクの情報に基づいて前記初期画像を分割した複数の分割領域の各々に対して前記タスクを割り当てるタスク割当部と、
前記初期画像及び前記タスクの情報を前記ユーザ端末へ送信し、タスクが実行されると、前記メイン画像のうち、実行されたタスクが割り当てられた前記分割領域に対応する部分を前記ユーザ端末へ送信する画像送信部と、
を備えるサーバ装置。
【請求項８】
登録端末から初期画像及びメイン画像を受信する画像受信部と、
前記登録端末又はユーザ端末から通知されたタスクの情報を受信し、前記タスクの情報に基づいて前記初期画像を分割した複数の分割領域の各々に対して前記タスクを割り当てるタスク割当部と、
前記初期画像及び前記メイン画像を前記ユーザ端末へ送信し、前記ユーザ端末に対し、タスク実行前は前記初期画像を表示部に表示し、タスクが実行されると、前記表示部に表示している初期画像のうち、実行されたタスクに対応する分割領域の部分をメイン画像に置き換えるように指示する画像送信部と、
を備えるサーバ装置。
【請求項９】
サーバ装置に初期画像及びメイン画像を登録する登録端末と、
前記初期画像、前記メイン画像、及び前記初期画像を分割した複数の分割領域の各々に対して割り当てられたタスクの情報を記憶する記憶部を有する前記サーバ装置と、
前記サーバ装置から前記初期画像を取得して表示部に表示すると共に、前記表示部に表示している前記初期画像のうち、実行されたタスクが割り当てられた分割領域を、前記メイン画像の対応部分に置き換えて前記表示部に表示するユーザ端末と、
を備える画像表示システム。
【発明の詳細な説明】
【技術分野】
【０００１】
本発明は、画像表示方法、サーバ装置及び画像表示システムに関する。
【背景技術】
【０００２】
芸術性の高い絵画やフォト等の画像データがインターネット上で販売されている。例えばユーザは、料金の支払い後、画像データをダウンロードし、購入した画像をパーソナルコンピュータやスマートフォン等の壁紙（待ち受け画面）に設定している。
【０００３】
従来は、どのような画像か知っている状態で購入するため、購入後の楽しみが少なく、すぐに飽きてしまうことがあった。また、一枚画を鑑賞するという楽しみ方しかできなかった。
【０００４】
画像データを購入する場合だけでなく、他者から画像データを受け取る場合も、受け取った画像データを開いた際に画像全体が一度に表示されてしまい、画像を少しずつ期待しながら楽しむことができなかった。
【先行技術文献】
【特許文献】
【０００５】
【特許文献１】特開２００８−２６９２１２号公報
【特許文献２】特開２００３−２１６８２８号公報
【発明の概要】
【発明が解決しようとする課題】
【０００６】
本発明は、条件を満たす毎に１枚の画像が徐々に現れるように表示を行う画像表示方法、サーバ装置及び画像表示システムを提供することを課題とする。
【課題を解決するための手段】
【０００７】
本発明による画像表示方法は、登録端末を用いて、サーバ装置に初期画像及びメイン画像を登録する工程と、前記初期画像を複数の領域に分割し、各分割領域にタスクを割り当てる工程と、ユーザ端末が前記サーバ装置から前記初期画像を取得し、表示部に表示する工程と、前記初期画像の分割領域毎に割り当てられているタスクが実行されたか否かを判定する工程と、前記タスクが実行されたと判定された分割領域を、前記メイン画像の対応部分に置き換えて前記表示部に表示する工程と、を備えるものである。
【０００８】
本発明の一態様では、前記ユーザ端末は、前記初期画像及び前記メイン画像を前記サーバ装置から取得し、タスク実行前は前記初期画像のみを前記表示部に表示する。
【０００９】
本発明の一態様では、前記サーバ装置は、前記メイン画像のうち、実行されたタスクに対応する部分を前記ユーザ端末へ送信する。
【００１０】
本発明の一態様では、前記タスクは、楽曲の再生、電子書籍の閲覧、所定地点への移動又は動画の再生である。
【００１１】
本発明の一態様では、前記タスクが所定地点への移動である場合、前記ユーザ端末が前記所定地点に表示されている二次元コードを読み取り、所定の情報を取得することで、タスクが実行されたと判定する。
【００１２】
本発明の一態様では、各分割領域に割り当てられているタスクを、それぞれ異なるユーザ端末が実行する。
【００１３】
本発明によるサーバ装置は、登録端末から初期画像及びメイン画像を受信する画像受信部と、前記登録端末又はユーザ端末から通知されたタスクの情報を受信し、前記タスクの情報に基づいて前記初期画像を分割した複数の分割領域の各々に対して前記タスクを割り当てるタスク割当部と、前記初期画像及び前記タスクの情報を前記ユーザ端末へ送信し、タスクが実行されると、前記メイン画像のうち、実行されたタスクが割り当てられた前記分割領域に対応する部分を前記ユーザ端末へ送信する画像送信部と、を備えるものである。
【００１４】
本発明によるサーバ装置は、登録端末から初期画像及びメイン画像を受信する画像受信部と、前記登録端末又はユーザ端末から通知されたタスクの情報を受信し、前記タスクの情報に基づいて前記初期画像を分割した複数の分割領域の各々に対して前記タスクを割り当てるタスク割当部と、前記初期画像及び前記メイン画像を前記ユーザ端末へ送信し、前記ユーザ端末に対し、タスク実行前は前記初期画像を表示部に表示し、タスクが実行されると、前記表示部に表示している初期画像のうち、実行されたタスクに対応する分割領域の部分をメイン画像に置き換えるように指示する画像送信部と、を備えるものである。
【００１５】
本発明による画像表示システムは、サーバ装置に初期画像及びメイン画像を登録する登録端末と、前記初期画像、前記メイン画像、及び前記初期画像を分割した複数の分割領域の各々に対して割り当てられたタスクの情報を記憶する記憶部を有する前記サーバ装置と、前記サーバ装置から前記初期画像を取得して表示部に表示すると共に、前記表示部に表示している前記初期画像のうち、実行されたタスクが割り当てられた分割領域を、前記メイン画像の対応部分に置き換えて前記表示部に表示するユーザ端末と、を備えるものである。
【発明の効果】
【００１６】
本発明によれば、条件を満たす毎に１枚の画像が徐々に現れるため、どのような画像か期待しながら長い期間楽しむことができる。
【図面の簡単な説明】
【００１７】
【図１】本発明の実施形態に係る画像表示システムの概略構成図である。
【図２】画像及びタスクの設定方法を説明するフローチャートである。
【図３】図３ａはメイン画像の一例を示し、図３ｂは初期画像の一例を示す。
【図４】図４ａは画像分割方法の選択画面の例を示し、図４ｂは初期画像の分割例を示す。
【図５】タスク種別の選択画面を示す図である。
【図６】図６ａ、６ｂ、６ｃはタスクの割り当ての例を示す図である。
【図７】画像表示方法を説明するフローチャートである。
【図８】画像の表示例を示す図である。
【図９】登録端末のブロック構成図である。
【図１０】サーバ装置のブロック構成図である。
【図１１】ユーザ端末のブロック構成図である。
【図１２】登録端末及びユーザ端末における処理を説明する図である。
【図１３】別の実施形態に係る画像表示システムの概略構成図である。
【図１４】複数ユーザによるタスク実行の例を示す図である。
【発明を実施するための形態】
【００１８】
以下、本発明の実施の形態を図面に基づいて説明する。
【００１９】
図１に示すように、本発明の実施形態に係る画像表示システムは、ユーザ端末１、登録端末３及びサーバ装置５を備え、登録端末３がサーバ装置５に初期画像及びメイン画像を登録すると共に、複数のタスクを設定する。ユーザ端末１及び登録端末３は、スマートフォンやタブレット端末、パーソナルコンピュータ等である。
【００２０】
ユーザ端末１は、サーバ装置５から初期画像及びメイン画像を受信し、最初に初期画像を表示する。初期画像は、複数の領域に分割されており、タスクを実行する毎に、初期画像の分割領域が１箇所ずつメイン画像に置き換わる。メイン画像が徐々に現れるため、ユーザは、メイン画像がどのようなものか期待しながら長期間楽しむことができる。
【００２１】
図２に示すように、画像及びタスクの設定方法は、メイン画像の設定工程（ステップＳ１）、初期画像の設定工程（ステップＳ２）、分割領域の設定工程（ステップＳ３）及びタスクの選択・割り当て工程（ステップＳ４）を備える。
【００２２】
メイン画像の設定工程及び初期画像の設定工程では、登録端末３が、メイン画像と初期画像を設定し、サーバ装置５に登録する。初期画像は、ユーザ端末１に最初に表示される画像であり、メイン画像はタスクを実行するとユーザ端末１に表示される画像である。例えば、登録端末３が、自端末に保存されている画像の中から、図３ａに示すようなメイン画像Ｇ１にする画像と、図３ｂに示すような初期画像Ｇ２にする画像とを選択し、サーバ装置５へ送信する。メイン画像Ｇ１と初期画像Ｇ２とは同程度のサイズの画像であることが好ましい。
【００２３】
分割領域の設定工程では、初期画像の分割数や分割方法を選択する。例えば、図４ａに示すような分割方法選択画面が登録端末３の表示部３００に表示される。登録者（登録端末３の使用者）は、初期画像をどのように分割するか選択する。例えば、登録者が４分割を選択すると、図４ｂに示すように、初期画像Ｇ２は、左上、右上、左下、右下の４つの分割領域＃１〜＃４に分割される。
【００２４】
タスクの選択・割り当て工程では、まず、タスクの種類を選択する。例えば、図５に示すようなタスク種別の選択画面が登録端末３の表示部３００に表示される。登録者は、メイン画像を表示するための条件となるタスクの種類を選択する。
【００２５】
例えば、『音楽』を選択した場合、登録者は、図６ａに示すように、楽曲リスト内の曲番号（曲名）を分割領域＃１〜＃４にそれぞれ割り当てる。この場合、割り当てられた曲を再生することがタスクとなる。楽曲リストは、登録端末３内に保存されている楽曲のリストでもよいし、サーバ装置５に保存されている楽曲のリストでもよい。
【００２６】
『文書』を選択した場合、登録者は、図６ｂに示すように、小説などの文書の章リスト内の章を分割領域＃１〜＃４にそれぞれ割り当てる。この場合、割り当てられた章を読むことがタスクとなる。章リストは、例えば、サーバ装置５に保存されている電子書籍の章リストである。
【００２７】
『場所』を選択した場合、登録者は、図６ｃに示すように、地名などの場所を示す情報を分割領域＃１〜＃４にそれぞれ割り当てる。この場合、スタンプラリーのように、指定された地点を巡ることがタスクとなる。図６ｃに示すようなラリーポイントリストに記載されている地点を分割領域に割り当ててもよいし、別途マップを表示して場所を指示・入力できるようにしてもよい。
【００２８】
『日付』を選択した場合、分割領域＃１〜＃４に日付を割り当てる。この場合、割り当てられた日付になると、タスクが実行されたと判定される。
【００２９】
『ゲーム』を選択した場合、分割領域＃１〜＃４にゲームの進捗度やレベルを割り当てる。この場合、ゲームをプレイし、所定のステージに達したり、所定のレベルに達したりすることがタスクとなる。
【００３０】
『動画』や『広告』を選択した場合、分割領域＃１〜＃４に動画や広告の種類や再生時間を割り当てる。この場合、動画や広告を視聴することがタスクとなる。
【００３１】
『天気』を選択した場合、分割領域＃１〜＃４に天気や最低気温、最高気温を割り当てる。この場合、天気予報サイトと連動し、割り当てられた天気や気温を満たすと、タスクが実行されたと判定される。
【００３２】
図７に示すように、画像の表示方法は、初期画像表示工程（ステップＳ５）、タスク実行工程（ステップＳ６）、画像置換工程（ステップＳ７）及び全タスクの完了を判定する工程（ステップＳ８）を備える。
【００３３】
ユーザ端末１は、サーバ装置５からメイン画像、複数の領域に分割された初期画像、及び各分割領域に割り当てられたタスク情報を受信し、初期画像を表示部１００に表示する（ステップＳ５）。
【００３４】
タスクが実行されると、ユーザ端末１は、表示部１００に表示している初期画像のうち、実行したタスクに対応する分割領域の部分をメイン画像に置き換える（ステップＳ６、Ｓ７）。タスク実行前は、初期画像のみが表示部１００に表示され、メイン画像は表示されない。
【００３５】
図８に示すように、タスクを実行していく毎に、初期画像Ｇ２が徐々にメイン画像Ｇ１に置き換わる。全てのタスクを実行すると（ステップＳ８＿Ｙｅｓ）、メイン画像Ｇ１の全体が表示される。
【００３６】
例えば、ユーザ端末１で各分割領域に割り当てられた曲を再生することで、メイン画像Ｇ１が徐々に現れる。
【００３７】
あるいはまた、ユーザ端末１で各分割領域に割り当てられた電子書籍の章を閲覧することで、メイン画像Ｇ１が徐々に現れる。章の１ページ目の表示から所定時間経過することで、その章を読んだと判定してもよい。これにより、電子書籍を読まずにページをめくり、短時間でメイン画像Ｇ１の全体が表示されることを防止できる。
【００３８】
あるいはまた、ユーザ端末１を携帯するユーザが各分割領域に割り当てられた場所を巡ることで、メイン画像Ｇ１が徐々に現れる。例えば、ユーザ端末１がＧＰＳにより取得した位置情報をサーバ装置５へ送信する。サーバ装置５は、ユーザ端末１から受信した位置情報に基づいて、指定地点に到達しているか否か判定し、判定結果をユーザ端末１に通知する。ユーザ端末１は、指定地点に到達しているという判定結果を受け取ると、対応する分割領域をメイン画像に置き換える。
【００３９】
指定地点に二次元コードの表示プレートを設置しておき、ユーザ端末１が二次元コードを読み取り、所定の情報を取得することで、指定地点に到達したと判定してもよい。この場合、各地点を示す情報を、サーバ装置５又はユーザ端末１が事前に保持している。ユーザは、指定地点を巡ることで初期画像が少しずつめくられ、メイン画像が現れる“画像めくりラリー”を楽しむことができる。
【００４０】
次に、登録端末３の構成について説明する。図９に示すように、登録端末３は、サーバ装置５と通信可能なコンピュータであり、メイン画像や初期画像として利用される画像データを格納する記憶部３０を備えている。例えば、登録端末３は、タスクとして設定される楽曲を販売するレコード会社や、電子書籍を販売する出版社、画像めくりラリーを実施する地域の自治体等の端末である。
【００４１】
記憶部３０は、ＣＰＵ（中央演算部）が各種の処理を実行するために必要なプログラムやデータ等を格納しており、ハードディスクや半導体メモリ等が用いられる。
【００４２】
登録端末３のＣＰＵが記憶部３０に記憶されているプログラムを実行することで、画像選択部３１、画像送信部３２、分割部３３及びタスク選択部３４の機能が実現される。
【００４３】
画像選択部３１は、記憶部３０内の画像から、メイン画像及び初期画像となる画像を選択する。
【００４４】
画像送信部３２は、メイン画像及び初期画像として選択された画像をサーバ装置５へ送信する。
【００４５】
分割部３３は、初期画像の分割方法を選択する。分割方法は、例えば、分割数や、分割領域の形状、位置等の指定を含む。選択された分割方法はサーバ装置５に通知される。
【００４６】
タスク選択部３４は、初期画像の分割領域に割り当てるタスクを選択する。選択するタスクは、例えば、楽曲の曲番号、電子書籍の章（ページ）、画像めくりラリーにおける指定地点の位置情報等である。選択されたタスク情報はサーバ装置５に通知される。
【００４７】
次に、サーバ装置５の構成について説明する。図１０に示すように、サーバ装置５は、登録端末３やユーザ端末１と通信可能なコンピュータであり、記憶部５０を備える。記憶部５０は、ＣＰＵが各種の処理を実行するために必要なプログラムやデータ等を格納しており、ハードディスクや半導体メモリ等が用いられる。
【００４８】
サーバ装置５のＣＰＵが記憶部５０に記憶されているプログラムを実行することで、画像受信部５１、タスク割当部５２及び画像送信部５３の機能が実現される。
【００４９】
画像受信部５１は、登録端末３からメイン画像及び初期画像を受信し、記憶部５０に格納する。また、画像受信部５１は、登録端末３から初期画像の分割方法に関する情報を受信する。
【００５０】
タスク割当部５２は、登録端末３から通知されたタスク情報に基づいて、初期画像の分割領域にタスクを対応付ける（割り当てる）。
【００５１】
画像送信部５３は、メイン画像、及び複数の領域に分割された初期画像をユーザ端末１へ送信する。また、画像送信部５３は、タスク情報を、初期画像の分割領域に対応付けてユーザ端末１へ送信する。画像送信部５３は、画像送信に際し、ユーザ端末１に対して、タスク実行前は初期画像のみを表示部１００に表示し、タスク実行に伴い、表示部１００に表示している初期画像のうち、実行されたタスクに対応する分割領域の部分をメイン画像に置き換えるように指示してもよい。
【００５２】
次に、ユーザ端末１の構成について説明する。図１１に示すように、ユーザ端末１は、サーバ装置５と通信可能なコンピュータであり、記憶部１０やＧＰＳ機能（図示略）を備える。記憶部１０は、ＣＰＵが各種の処理を実行するために必要なプログラムやデータ等を格納しており、半導体メモリ等が用いられる。
【００５３】
ユーザ端末１のＣＰＵが記憶部１０に記憶されているプログラムを実行することで、画像受信部１１、判定部１２及び画像表示処理部１３の機能が実現される。
【００５４】
画像受信部１１は、サーバ装置５からメイン画像及び複数の領域に分割された初期画像を受信し、記憶部１０に格納する。また、画像受信部１１は、初期画像の分割領域に対応付けられたタスク情報を受信し、記憶部１０に格納する。
【００５５】
判定部１２は、初期画像の分割領域に割り当てられたタスクが実行されたか否か判定する。例えば、所定の楽曲が再生されたか、電子書籍の所定の章が閲覧されたかなどを判定する。楽曲の再生は、音楽データをユーザ端末１にダウンロードして再生するものでもよいし、ストリーミング再生でもよい。
【００５６】
画像表示処理部１３は、初期画像を表示部１００に表示する。画像表示処理部１３は、初期画像のうち、実行されたと判定されたタスクに対応する分割領域の部分をメイン画像に置き換えて表示する。
【００５７】
このように、本実施形態によれば、初期画像を複数の領域に分割し、各分割領域に実行して欲しいタスクを割り当てると共に、タスク実行の特典となるメイン画像を登録することができる。タスクの実行に伴いユーザ端末１にメイン画像が徐々に現れるため、ユーザは、メイン画像がどのようなものか期待しながら長期間楽しむことができる。
【００５８】
上記実施形態では、タスクが実行されたか否かを判定する判定部の機能がユーザ端末１に設けられる例について説明したが、サーバ装置５が判定部の機能を有していてもよい。
【００５９】
上記実施形態では、メイン画像及び初期画像の設定、分割領域の設定、及びタスクの割り当てを登録端末３が行う例について説明したが、図１２に示すように、メイン画像及び初期画像の設定以降の処理はユーザ端末１で行ってもよい。
【００６０】
例えば、分割領域の設定までを登録端末３で行い、タスク種類の選択やタスクの割り当てをユーザ端末１で行ってもよい。あるいはまた、分割領域の設定及びタスク種類の選択までを登録端末３で行い、タスクの割り当てをユーザ端末１で行ってもよい。
【００６１】
ユーザ端末１又は登録端末３の指示に基づいて、分割領域の設定、タスク種類の選択及びタスクの割り当ての少なくとも一部の処理を、サーバ装置５が自動で行ってもよい。例えば、タスクの割り当てを行うユーザ端末１又は登録端末３の表示部に表示された「おまかせ」ボタンが押され、タスク自動設定指示がサーバ装置５へ送信されると、サーバ装置５は、分割領域の各々に対してタスクを自動で割り当てる。
【００６２】
自動割り当てされたタスクは、ユーザ端末１又は登録端末３の表示部に表示される。サーバ装置５は、ユーザ端末１又は登録端末３に対し、設定したタスクを承認するか否か問い合わせ、表示部にはＯＫ（承認）ボタンとＮＧ（非承認）ボタンとが表示される。ユーザ端末１又は登録端末３の操作者がＯＫボタンを押し、自動割り当てされたタスクを承認すると、タスク設定処理が完了する。操作者がＮＧボタンを押した場合は、サーバ装置５がタスクの割り当てを再度行ってもよいし、「おまかせ」ボタンを押す前の状態まで戻ってもよい。
【００６３】
サーバ装置５によるタスクの自動割り当て後、操作者に問い合わせずに、タスク設定処理を完了してもよい。
【００６４】
ユーザ端末１は、サーバ装置５からメイン画像、複数の領域に分割された初期画像、及び各分割領域に割り当てられたタスク情報を受信し、初期画像を表示部１００に表示する。
【００６５】
サーバ装置５は、初期画像及びタスク情報をユーザ端末１へ送信し、タスクが実行される毎に、メイン画像の対応領域をユーザ端末１へ送信するようにしてもよい。ユーザ端末１は、サーバ装置５から受信したメイン画像の一部と初期画像の対応部分とを置換して、表示部１００に表示する。
【００６６】
第１ユーザが登録したメイン画像を初期画像で隠して第２ユーザへ送信し、メイン画像を見るために第２ユーザがタスクを割り当て、実行するようにしてもよい。例えば、図１３に示すように、ユーザＡは、ユーザ端末１Ａ（登録端末３とみなすこともできる）を用いてサーバ装置５にアクセスし、ユーザＡのアカウントで初期画像及びメイン画像をフォルダ（第１記憶領域）に登録し、ユーザＢのフォルダ（第２記憶領域）に送信する。メイン画像のみではユーザＢのフォルダに送信できないようになっている。ユーザＡのフォルダはユーザ端末１Ａのみアクセス可能であり、ユーザＢのフォルダはユーザ端末１Ｂのみアクセス可能になっている。
【００６７】
ユーザＢは、初期画像及びメイン画像を受信すると、ユーザ端末１Ｂを操作し、初期画像の分割方法を指定し、分割領域にタスクを割り当てる。ユーザ端末１Ｂは、まず、初期画像を表示する。タスク実行前は、メイン画像は表示されない。タスクを順に実行することで、徐々にメイン画像が現れる。
【００６８】
ユーザＡが、ユーザＢによるタスク実行状況、すなわちメイン画像がどの程度表示されているか、確認できるようになっていてもよい。
【００６９】
もちろん、ユーザＡが初期画像の分割やタスクの割り当てを行ってもよい。また、初期画像の分割後、メイン画像がどのように現れるかユーザＡがプレビューできるようにしてもよい。
【００７０】
上記実施形態では、初期画像を分割した複数の分割領域に割り当てられたタスクを１ユーザが実行する例について説明したが、分割領域毎に異なるユーザがタスクを実行してもよい。例えば、図１４に示すように、初期画像を９個の領域に分割し、各分割領域に割り当てられたタスクをユーザＵ１〜Ｕ９がそれぞれ実行するようにしてもよい。各ユーザがタスクを実行すると、初期画像のうち、実行されたタスクに対応する分割領域がメイン画像に置換されて、各ユーザのユーザ端末に表示される。また、タスクを実行していないユーザ端末にも、タスク実行状況に応じた画像が配信されるようにしてもよい。
【００７１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７２】
１、１Ａ、１Ｂ  ユーザ端末
１０  記憶部
１１  画像受信部
１２  判定部
１３  画像表示処理部
３  登録端末
３０  記憶部
３１  画像選択部
３２  画像送信部
３３  分割部
３４  タスク選択部
５  サーバ装置
５０  記憶部
５１  画像受信部
５２  タスク割当部
５３  画像送信部
１００、３００  表示部
Ｇ１  メイン画像
Ｇ２  初期画像
【図１】
2020119318.tif 000003
【図２】
2020119318.tif 000004
【図３】
2020119318.tif 000005
【図４】
2020119318.tif 000006
【図５】
2020119318.tif 000007
【図６】
2020119318.tif 000008
【図７】
2020119318.tif 000009
【図８】
2020119318.tif 000010
【図９】
2020119318.tif 000011
【図１０】
2020119318.tif 000012
【図１１】
2020119318.tif 000013
【図１２】
2020119318.tif 000014
【図１３】
2020119318.tif 000015
【図１４】
2020119318.tif 000016